(57)【特許請求の範囲】
【請求項１】
それぞれランド部の下方にピンボス部を挟んで配設された一対のスカート部を備えたエンジンのピストン構造であって、
上記各スカート部は、平面断面視で略円弧状に形成されていて、膨張行程におけるスラスト荷重によりたわむように構成されており、上記ピンボス部と一体となったエプロン部によって連接されていて、肉厚が互いに同じであり、
両スラスト側エプロン部の上部の間の距離が、該両スラスト側エプロン部の下部の間及び両反スラスト側エプロン部の間の距離よりも小さいことにより、上記一対のスカート部のうちスラスト側スカート部の上部の剛性が、該スラスト側スカート部の下部及び反スラスト側スカート部の剛性よりも高いことを特徴とするエンジンのピストン構造。
【請求項２】
請求項１記載のエンジンのピストン構造において、
上記スラスト側スカート部の上部は、該スラスト側スカート部における上記ピンボス部のピストンピン孔の中心と同じ高さ位置近傍の部分を含むことを特徴とするエンジンのピストン構造。
【発明の詳細な説明】
【技術分野】
【０００１】
本発明は、エンジンのピストン構造に関するものである。
【背景技術】
【０００２】
従来から、それぞれランド部の下方にピンボス部を挟んで配設された一対のスカート部を備えたエンジンのピストンが知られている。このピストンは、シリンダライナ内を上下に往復運動するようになっている。そして、スカート部は、ピストンの往復運動時は、シリンダライナの内周面を摺動するようになっている。
【０００３】
ところで、ピストンの摺動抵抗は小さいことが望ましいが、この摺動抵抗を小さくする方法として、スカート部の剛性を低くすることが知られている。
【０００４】
例えば、特許文献１のものでは、ランド部のオイルリング溝の下方にスリットを形成している。これにより、ランド部とスカート部とをスリットで分断し、スカート部全体の剛性を低くし、スカート部の摺動抵抗を小さくしている。
【特許文献１】特開２００５−１８８３０３号公報
【発明の開示】
【発明が解決しようとする課題】
【０００５】
ところで、上述のように、スカート部全体の剛性を低くする場合、その剛性を低くする部位によっては、オイル消費率（ＬＯＣ）が悪化してしまうことが分かった。
【０００６】
そこで、本発明者たちは、様々な実験を行い、スカート部の摺動抵抗を小さくしながらオイル消費率を向上できるピストンを開発するに至った。
【０００７】
本発明は、かかる点に鑑みてなされたものであり、その目的とするところは、スカート部の摺動抵抗の低減化とオイル消費率の向上化との両立を図ることができるエンジンのピストン構造を提供することにある。
【課題を解決するための手段】
【０００８】
第１の発明は、それぞれランド部の下方にピンボス部を挟んで配設された一対のスカート部を備えたエンジンのピストン構造であって、上記各スカート部は、平面断面視で略円弧状に形成されていて、膨張行程におけるスラスト荷重によりたわむように構成されており、上記ピンボス部と一体となったエプロン部によって連接されていて、肉厚が互いに同じであり、両スラスト側エプロン部の上部の間の距離が、該両スラスト側エプロン部の下部の間及び両反スラスト側エプロン部の間の距離よりも小さいことにより、上記一対のスカート部のうちスラスト側スカート部の上部の剛性が、該スラスト側スカート部の下部及び反スラスト側スカート部の剛性よりも高いことを特徴とするものである。
【０００９】
これにより、一対のスカート部のうちスラスト側スカート部の上部の剛性を、スラスト側スカート部の下部及び反スラスト側スカート部の剛性よりも高くしたので、スラスト側スカート部の下部及び反スラスト側スカート部の剛性が比較的低くなる。そのため、スカート部全体の剛性を低くでき、スカート部の摺動抵抗を小さくできる。
【００１０】
また、スラスト側スカート部の上部の剛性を、スラスト側スカート部の下部及び反スラスト側スカート部の剛性よりも高くしたので、オイル消費率を向上できる。
【００１１】
以上から、スカート部の摺動抵抗の低減化とオイル消費率の向上化との両立を図ることができる。
【００１２】
第２の発明は、上記第１の発明において、上記スラスト側スカート部の上部は、該スラスト側スカート部における上記ピンボス部のピストンピン孔の中心と同じ高さ位置近傍の部分を含むことを特徴とするものである。
【００１３】
これにより、スラスト側スカート部の上部は、そのスラスト側スカート部におけるピンボス部のピストンピン孔の中心と同じ高さ位置近傍の部分を含むので、オイル消費率を確実に向上できる。
【発明の効果】
【００１４】
本発明によれば、一対のスカート部のうちスラスト側スカート部の上部の剛性を、スラスト側スカート部の下部及び反スラスト側スカート部の剛性よりも高くしたので、スカート部の摺動抵抗の低減化とオイル消費率の向上化との両立を図ることができる。
【発明を実施するための最良の形態】
【００１５】
以下、本発明の実施形態を図面に基づいて詳細に説明する。
【００１６】
（参考例１）
図１は、ピストンを示す図であり、（ａ）は、ピストンの正面図であり、（ｂ）は、ピストンの底面図であり、（ｃ）は、（ｂ）のＡ−Ａ線の矢視断面図である。
【００１７】
参考例１に係るピストン１は、ガソリンエンジンに用いられる、アルミニウム合金製のものである。ピストン１は、シリンダライナ（図示せず）内を上下に往復運動するようになっている。図１に示すように、ピストン１は、ランド部１１とピンボス部１２と一対のスカート部１３とを有するピストン本体１０を備えている。
【００１８】
ランド部１１は、略円筒状に形成されている。ランド部１１の外周面には、上側から順に２つのピストンリング溝１１ａと１つのオイルリング溝１１ｂとが形成されている。各ピストンリング溝１１ａには、ピストンリング（図示せず）が嵌め込まれ、オイルリング溝１１ｂには、オイルリング（図示せず）が嵌め込まれる。
【００１９】
ピンボス部１２の中心部には、略円状のピストンピン孔１２ａが形成されている。このピストンピン孔１２ａには、ピストン１とコンロッド（図示せず）とを連結するためのピストンピン（図示せず）が挿入される。
【００２０】
各スカート部１３は、ランド部１１の下側にピンボス部１２を挟んで互いに対向して配設されている。各スカート部１３は、平面断面視で略円弧状に形成されていて、ピストン１の往復運動時は、シリンダライナの内周面を摺動するようになっている。スカート部１３は、膨張行程時にスラスト側に位置するスラスト側スカート部１３ａと、膨張行程時に反スラスト側に位置する反スラスト側スカート部１３ｂとで構成されている。スラスト側スカート部１３ａと反スラスト側スカート部１３ｂとは、エプロン部１４によって連接されている。このエプロン部１４ は、ピンボス部１２と一体成形されている。
【００２１】
ここで、スラスト側スカート部１３ａの上部の肉厚は、スラスト側スカート部１３ａの下部及び反スラスト側スカート部１３ｂの肉厚よりも厚くなっている。詳細には、スラスト側スカート部１３ａの上部の肉厚は、上側に行くに従って徐々に厚くなっており、スラスト側スカート部１３ａの下部及び反スラスト側スカート部１３ｂの肉厚は、互いに同じである。このため、スラスト側スカート部１３ａの上部の剛性が、スラスト側スカート部１３ａの下部及び反スラスト側スカート部１３ｂの剛性よりも高くなっている。すなわち、スラスト側スカート部１３ａの剛性と反スラスト側スカート部１３ｂの剛性とが、非対称の関係になっている。なお、スラスト側スカート部１３ａの上部には、そのスラスト側スカート部１３ａにおけるピンボス部１２のピストンピン孔１２ａの中心と同じ高さ位置近傍の部分が含まれている。具体的には、スラスト側スカート部１３ａの上部には、そのスラスト側スカート部１３ａにおけるピンボス部１２のピストンピン孔１２ａの中心と同じ高さ位置から、その位置からピストンピン孔１２ａの直径の１／４の長さだけ下側の位置までの範囲の部分が含まれている。
【００２２】
このように、スラスト側スカート部１３ａの上部の剛性をスラスト側スカート部１３ａの下部及び反スラスト側スカート部１３ｂの剛性よりも高くすると、スカート部１３の摺動抵抗の低減化とオイル消費率の向上化との両立を図ることができる。
【００２３】
ここで、上述のように、オイル消費率を向上できるのは、以下のような理由であると考えられる。すなわち、スラスト側スカート部１３ａの上部の剛性を比較的大きくすると、その上部の剛性を他の部分と同じように小さくする場合と比較して、膨張行程におけるスラスト荷重によるスラスト側スカート部１３ａのたわみが小さくなり、これにより、スラスト側では、オイルリングを保持しているランド部１１のスラスト方向への変位が小さくなり、反スラスト側では、オイルリング溝１１ｂに対するオイルリングの摺動抵抗による拘束が軽減され、オイルリングのシリンダライナに対する付勢力の低下が抑制され、オイルリングとシリンダライナとの間の距離（つまり、油膜厚さ）が小さく抑えられるので、オイルのかき残し量が減少し、オイル消費率が向上するからである。
【００２４】
−試験に用いたピストン−
以下、図２を参照しながら、試験に用いたピストン１〜８について説明する。図２は、ピストン１〜８の、加工状態とオイル消費率の改善結果とを示す図である。
【００２５】
（ピストン１）
ピストン１は、基準ピストンである。すなわち、図３に示すように、スラスト側及び反スラスト側スカート部の内周面の下端寄りに、ピストン加工時のピストン受け部となる突起部を形成し、この突起部の肉厚を４ｍｍとした。スラスト側及び反スラスト側スカート部におけるオイルリング溝の下端縁からの距離の、オイルリング溝の下端縁からスカート部の下端までの距離に対する割合が６０％までの範囲の部分（以下、上部という）の肉厚を２ｍｍとした（図３を参照）。スラスト側及び反スラスト側スカート部における上記割合が６０〜１００％の範囲の部分（以下、下部という）の肉厚を２ｍｍとした。但し、スラスト側及び反スラスト側スカート部の下部には、上記突起部が含まれており、その下部のうちこの突起部の肉厚だけは、上述のように、４ｍｍである。なお、上記割合が４０〜６０％の範囲の部分は、ピンボス部のピストンピン孔の中心と同じ高さ位置近傍に位置している（図３を参照）。
【００２６】
（ピストン２）
スラスト側及び反スラスト側スカート部の上部の肉厚を１．５ｍｍとし、この部分を低剛性化した。その他の点に関しては、ピストン１とほぼ同様の構成である。
【００２７】
（ピストン３）
スラスト側スカート部の上部の肉厚を１．５ｍｍとし、この部分を低剛性化した。その他の点に関しては、ピストン１とほぼ同様の構成である。
【００２８】
（ピストン４）
反スラスト側スカート部の上部の肉厚を１．５ｍｍとし、この部分を低剛性化した。その他の点に関しては、ピストン１とほぼ同様の構成である。
【００２９】
（ピストン５）
スラスト側及び反スラスト側スカート部の下部の突起部の肉厚を３．０ｍｍとし、この部分を低剛性化した。その他の点に関しては、ピストン１とほぼ同様の構成である。
【００３０】
（ピストン６）
スラスト側及び反スラスト側スカート部の上部の肉厚を１．７５ｍｍとし、この部分を中剛性化した。その他の点に関しては、ピストン１とほぼ同様の構成である。
【００３１】
（ピストン７）
スラスト側及び反スラスト側スカート部の上部の肉厚を１．４ｍｍとし、この部分を低剛性化した。その他の点に関しては、ピストン１とほぼ同様の構成である。
【００３２】
（ピストン８）
反スラスト側スカート部全体の肉厚を１．５ｍｍとし、反スラスト側スカート部全体を低剛性化した。その他の点に関しては、ピストン１とほぼ同様の構成である。
【００３３】
−試験−
以下、ピストン１〜８に対して行ったスカート剛性測定試験及びオイル消費率測定試験、並びにピストン２及びピストン５に対して行った燃費測定試験について説明する。
【００３４】
（スカート剛性測定試験）
各ピストンの両スカート部における上記割合が１３％、２０％、４０％、６０％、８０％及び９０％の各部位に、その外側から２４５Ｎの荷重を別々にかけ、各部位の変形量を測定した。
【００３５】
（オイル消費率測定試験）
各ピストンを用いたエンジンのオイル消費率（ＬＯＣ）を測定した。そして、各測定値を所定の基準値と比較した。
【００３６】
（燃費測定試験）
ピストン２及びピストン５を用いたエンジンの燃費を測定した。そして、各測定値を所定の基準値と比較した。
【００３７】
−試験結果−
上記試験の結果を図２及び図４〜図６に示す。図４は、スカート部の変形量とオイル消費率との関係をピストン番号順に並べて示す図であり、図５は、スカート部の変形量とオイル消費率との関係をその変形量の大きさ順に並べて示す図であり、図６は、スカート部の剛性と燃費との関係を示す図である。
【００３８】
図２の最も右側の列から明らかなように、ピストン１、４〜６及び８のオイル消費率が改善し、ピストン２、３及び７のオイル消費率が悪化したことが分かった。
【００３９】
また、図５から明らかなように、スラスト側スカート部における上記割合が４０％及び６０％の各部位の変形量が所定量よりも小さい、すなわち、この部位の剛性が所定値よりも大きいと、オイル消費率が改善することが分かった。つまり、スラスト側スカート部における上記割合が４０％及び６０％の各部位の剛性とオイル消費率とは相関性が高いことが分かった。
【００４０】
また、図５から明らかなように、スラスト側スカート部における上記割合が４０％及び６０％以外の部位、並びに反スラスト側スカート部の各部位では、その変形量（つまり、その剛性）とオイル消費率との明らかな相関性は認められなかった。
【００４１】
また、図６から明らかなように、スカート部の下部を低剛性化した場合、スカート部の上部を低剛性化した場合よりも、燃費を改善する効果が大きい、すなわち、スカート部の摺動抵抗を小さくする効果が大きいことが分かった。
【００４２】
−効果−
以上により、本参考例によれば、一対のスカート部１３のうちスラスト側スカート部１３ａの上部の剛性を、スラスト側スカート部１３ａの下部及び反スラスト側スカート部１３ｂの剛性よりも高くしたので、スラスト側スカート部１３ａの下部及び反スラスト側スカート部１３ｂの剛性が比較的低くなる。そのため、スカート部１３全体の剛性を低くでき、スカート部１３の摺動抵抗を小さくできる。
【００４３】
また、スラスト側スカート部１３ａの上部の剛性を、スラスト側スカート部１３ａの下部及び反スラスト側スカート部１３ｂの剛性よりも高くしたので、オイル消費率を向上できる。
【００４４】
以上から、スカート部１３の摺動抵抗の低減化とオイル消費率の向上化との両立を図ることができる。
【００４５】
また、スラスト側スカート部１３ａの上部の厚さを、スラスト側スカート部１３ａの下部及び反スラスト側スカート部１３ｂの厚さよりも厚くすることで、スラスト側スカート部１３ａの上部の剛性を、スラスト側スカート部１３ａの下部及び反スラスト側スカート部１３ｂの剛性よりも高くしている。このように、簡単な構造で、スラスト側スカート部１３ａの上部の剛性を、スラスト側スカート部１３ａの下部及び反スラスト側スカート部１３ｂの剛性よりも高くすることを実現できる。
【００４６】
また、スラスト側スカート部１３ａの上部は、そのスラスト側スカート部１３ａにおけるピンボス部１２のピストンピン孔１２ａの中心と同じ高さ位置近傍の部分を含むので、オイル消費率を確実に向上できる。
【００４７】
なお、本参考例では、スラスト側スカート部１３ａの上部の肉厚を、上側に行くに従って徐々に厚くしているが、スラスト側スカート部１３ａの上部の肉厚がスラスト側スカート部１３ａの下部及び反スラスト側スカート部１３ｂの肉厚よりも厚くなっている限り、スラスト側スカート部１３ａの上部の肉厚を、例えば、上側に行くに従って徐々に薄くしたり、その全域に亘って同じにしても良い。
【００４８】
また、本参考例では、スラスト側スカート部１３ａの下部及び反スラスト側スカート部１３ｂの肉厚を互いに同じにしているが、スラスト側スカート部１３ａの上部の肉厚がスラスト側スカート部１３ａの下部及び反スラスト側スカート部１３ｂの肉厚よりも厚くなっている限り、スラスト側スカート部１３ａの下部及び反スラスト側スカート部１３ｂの肉厚を異ならせても良い。
【００４９】
（参考例２）
図７は、ピストンを示す図であり、（ａ）は、ピストンの正面図であり、（ｂ）は、ピストンの底面図であり、（ｃ）は、（ａ）のＢ−Ｂ線の矢視断面図である。
【００５０】
本参考例は、エプロン部１４に工夫をこらしたものである。すなわち、スラスト側及び反スラスト側スカート部１３ａ，１３ｂの肉厚は、互いに同じであり、スラスト側エプロン部１４ａの上部の肉厚は、スラスト側エプロン部１４ａの下部及び反スラスト側エプロン部１４ｂの肉厚よりも厚くなっている。なお、スカート部１３の上部及び下部は、エプロン部１４の上部及び下部にそれぞれ対応する（以下、同じ）。以上により、スラスト側エプロン部１４ａの上部の、スラスト側スカート部１３ａの上部を支持する力が、スラスト側エプロン部１４ａの下部の、スラスト側スカート部１３ａの下部を支持する力及び反スラスト側エプロン部１４ｂの、反スラスト側スカート部１３ｂを支持する力よりも大きくなり、スラスト側スカート部１３ａの上部の剛性が、スラスト側スカート部１３ａの下部及び反スラスト側スカート部１３ｂの剛性よりも高くなっている。その他の点に関しては、参考例１とほぼ同様の構成である。
【００５１】
以上により、参考例１とほぼ同様の作用効果が得られる。
【００５２】
（参考例３）
図８は、ピストンを示す図であり、（ａ）は、ピストンの正面図であり、（ｂ）は、（ａ）のＣ−Ｃ線の矢視断面図であり、（ｃ）は、（ａ）のＤ−Ｄ線の矢視断面図である。
【００５３】
本参考例は、エプロン部１４に工夫をこらしたものである。すなわち、スラスト側及び反スラスト側スカート部１３ａ，１３ｂの肉厚は、互いに同じであり、スラスト側エプロン部１４ａの上部の延びる方向とピストンピン孔１２ａの延びる方向とが直角をなしている。このため、スラスト側エプロン部１４ａの上部の、スラスト側スカート部１３ａの上部を支持する力が、スラスト側エプロン部１４ａの下部の、スラスト側スカート部１３ａの下部を支持する力及び反スラスト側エプロン部１４ｂの、反スラスト側スカート部１３ｂを支持する力よりも大きくなり、スラスト側スカート部１３ａの上部の剛性が、スラスト側スカート部１３ａの下部及び反スラスト側スカート部１３ｂの剛性よりも高くなっている。その他の点に関しては、参考例１とほぼ同様の構成である。
【００５４】
以上により、参考例１とほぼ同様の作用効果が得られる。
【００５５】
（実施形態１）
図９は、ピストンを示す図であり、（ａ）は、ピストンの正面図であり、（ｂ）は、（ａ）のＥ−Ｅ線の矢視断面図であり、（ｃ）は、（ａ）のＦ−Ｆ線の矢視断面図である。
【００５６】
本実施形態は、エプロン部１４に工夫をこらしたものである。すなわち、スラスト側及び反スラスト側スカート部１３ａ，１３ｂの肉厚は、互いに同じであり、両スラスト側エプロン部１４ａの上部の間の距離が、両スラスト側エプロン部１４ａの下部の間及び両反スラスト側エプロン部１４ｂの間の距離よりも小さくなっている。このため、スラスト側エプロン部１４ａの上部の、スラスト側スカート部１３ａの上部を支持する力が、スラスト側エプロン部１４ａの下部の、スラスト側スカート部１３ａの下部を支持する力及び反スラスト側エプロン部１４ｂの、反スラスト側スカート部１３ｂを支持する力よりも大きくなり、スラスト側スカート部１３ａの上部の剛性が、スラスト側スカート部１３ａの下部及び反スラスト側スカート部１３ｂの剛性よりも高くなっている。その他の点に関しては、参考例１とほぼ同様の構成である。
【００５７】
以上により、参考例１とほぼ同様の作用効果が得られる。
【００５８】
（参考例４）
図１０は、ピストンを示す図であり、（ａ）は、ピストンの正面図であり、（ｂ）は、ピストンの底面図である。
【００５９】
本参考例は、エプロン部１４に工夫をこらしたものである。すなわち、スラスト側及び反スラスト側スカート部１３ａ，１３ｂの肉厚は、互いに同じであり、スラスト側エプロン部１４ａには、その下端から中間部までに亘って切欠き部１４ｃが形成されており、反スラスト側エプロン部１４ｂには、その下端から上端部までに亘って切欠き部１４ｄが形成されている。このため、スラスト側エプロン部１４ａの上部の、スラスト側スカート部１３ａの上部を支持する力が、スラスト側エプロン部１４ａの下部の、スラスト側スカート部１３ａの下部を支持する力及び反スラスト側エプロン部１４ｂの、反スラスト側スカート部１３ｂを支持する力よりも大きくなり、スラスト側スカート部１３ａの上部の剛性が、スラスト側スカート部１３ａの下部及び反スラスト側スカート部１３ｂの剛性よりも高くなっている。その他の点に関しては、参考例１とほぼ同様の構成である。
【００６０】
以上により、参考例１とほぼ同様の作用効果が得られる。
【００６１】
（参考例５）
図１１は、ピストンを示す図であり、（ａ）は、ピストンの正面図であり、（ｂ）は、（ａ）のＧ−Ｇ線の矢視断面図であり、（ｃ）は、（ｂ）のＨ−Ｈ線の矢視断面図である。
【００６２】
本参考例は、スカート部１３に工夫をこらしたものである。すなわち、スラスト側及び反スラスト側スカート部１３ａ，１３ｂの肉厚は、互いに同じであり、スラスト側スカートの上部にのみ、剛性がスカート部１３の剛性よりも高い高剛性プレート１５が埋設されている。このため、スラスト側スカート部１３ａの上部の剛性は、スラスト側スカート部１３ａの下部及び反スラスト側スカート部１３ｂの剛性よりも高くなっている。その他の点に関しては、参考例１とほぼ同様の構成である。
【００６３】
以上により、参考例１とほぼ同様の作用効果が得られる。
【００６４】
（その他の実施形態）
上記実施形態において、スラスト側スカート部１３ａの上部の外周面にのみ、固体潤滑剤コーティングを施したり、スラスト側スカート部１３ａの上部の外周面の粗さを、スラスト側スカート部１３ａの下部の外周面及び反スラスト側スカート部１３ｂの外周面の粗さよりも小さくしても良い。この場合、スカート部１３の摺動抵抗を小さくできる。
【００６５】
また、上記実施形態において、反スラスト側スカート部１３ｂの外周面の周方向両端部にのみ、固体潤滑剤コーティングを施しても良い。この場合、スカート部１３とシリンダライナの内周面との隙間を全体として小さくでき、スラップ音を小さくできる。
【００６６】
また、上記実施形態では、スラスト側スカート部１３ａの上部全体の剛性を、スラスト側スカート部１３ａの下部全体及び反スラスト側スカート部１３ｂ全体の剛性よりも高くしているが、これに限らず、例えば、スラスト側スカート部１３ａにおけるピンボス部１２のピストンピン孔１２ａの中心と同じ高さ位置近傍の部分の剛性を、スラスト側スカート部１３ａのこれ以外の部分及び反スラスト側スカート部１３ｂの剛性よりも高くしても良い。
【００６７】
本発明は、実施形態に限定されず、その精神又は主要な特徴から逸脱することなく他の色々な形で実施することができる。
【００６８】
このように、上述の実施形態はあらゆる点で単なる例示に過ぎず、限定的に解釈してはならない。本発明の範囲は請求の範囲によって示すものであって、明細書本文には何ら拘束されない。さらに、請求の範囲の均等範囲に属する変形や変更は、全て本発明の範囲内のものである。
【産業上の利用可能性】
【００６９】
以上説明したように、本発明にかかるエンジンのピストン構造は、スカート部の摺動抵抗の低減化とオイル消費率の向上化との両立を図る用途等に適用できる。
【図面の簡単な説明】
【００７０】
【図１】ピストンを示す図であり、（ａ）は、ピストンの正面図であり、（ｂ）は、ピストンの底面図であり、（ｃ）は、（ｂ）のＡ−Ａ線の矢視断面図である。
【図２】ピストン１〜８の、加工状態とオイル消費率の改善結果とを示す図である。
【図３】ピストン１の断面図である。
【図４】スカート部の変形量とオイル消費率との関係をピストン番号順に並べて示す図である。
【図５】スカート部の変形量とオイル消費率との関係をその変形量の大きさ順に並べて示す図である。
【図６】スカート部の剛性と燃費との関係を示す図である。
【図７】ピストンを示す図であり、（ａ）は、ピストンの正面図であり、（ｂ）は、ピストンの底面図であり、（ｃ）は、（ａ）のＢ−Ｂ線の矢視断面図である。
【図８】ピストンを示す図であり、（ａ）は、ピストンの正面図であり、（ｂ）は、（ａ）のＣ−Ｃ線の矢視断面図であり、（ｃ）は、（ａ）のＤ−Ｄ線の矢視断面図である。
【図９】ピストンを示す図であり、（ａ）は、ピストンの正面図であり、（ｂ）は、（ａ）のＥ−Ｅ線の矢視断面図であり、（ｃ）は、（ａ）のＦ−Ｆ線の矢視断面図である。
【図１０】ピストンを示す図であり、（ａ）は、ピストンの正面図であり、（ｂ）は、ピストンの底面図である。
【図１１】ピストンを示す図であり、（ａ）は、ピストンの正面図であり、（ｂ）は、（ａ）のＧ−Ｇ線の矢視断面図であり、（ｃ）は、（ｂ）のＨ−Ｈ線の矢視断面図である。
【符号の説明】
【００７１】
１      ピストン
１０    ピストン本体
１１    ランド部
１２    ピンボス部
１２ａ  ピストンピン孔
１３    スカート部
１３ａ  スラスト側スカート部
１３ｂ  反スラスト側スカート部
１４    エプロン部
【図１】
0004544177.tif 000002
【図２】
0004544177.tif 000003
【図３】
0004544177.tif 000004
【図４】
0004544177.tif 000005
【図５】
0004544177.tif 000006
【図６】
0004544177.tif 000007
【図７】
0004544177.tif 000008
【図８】
0004544177.tif 000009
【図９】
0004544177.tif 000010
【図１０】
0004544177.tif 000011
【図１１】
0004544177.tif 000012